(57)【要約】【課題】製造する者の熟練度等に左右されず、製品の品質にばらつきが生じ難い箱付き箱を提供する。【解決手段】開口を有する箱体（１０）と、前記箱体（１０）の開口を塞ぐと共に軸体（２０）を介して回動可能に軸支された蓋体（３０）とからなり、前記箱体（１０）は、所定間隔を介して対向する一対の壁部（１２ｃ）に各々形成された孔（１０Ｈ）を有する箱体であり、前記蓋体（３０）は、前記孔（１０Ｈ）に対向して連通する孔（３０Ｈ）を有する蓋体であり、前記軸体（２０）は、前記両孔（１０Ｈ、３０Ｈ）に挿入される軸体である、ことを特徴とする蓋付き箱。【選択図】図１
0003153443.tif 000002
【実用新案登録請求の範囲】
【請求項１】
開口を有する箱体（１０）と、前記箱体（１０）の開口を塞ぐと共に軸体（２０）を介して回動可能に軸支された蓋体（３０）とからなり、前記箱体（１０）は、所定間隔を介して対向する一対の壁部（１２ｃ）に各々孔（１０Ｈ）を有する箱体であり、前記蓋体（３０）は、前記孔（１０Ｈ）に対向して連通する孔（３０Ｈ）を有する蓋体であり、前記軸体（２０）は、前記両孔（１０Ｈ、３０Ｈ）に挿入される軸体である、ことを特徴とする蓋付き箱。
【請求項２】
前記箱体（３０）は、底板部（１１）と、底板部の周囲に立設された壁部とで構成された箱体（３０）であることを特徴とする請求項１に記載の蓋付き箱。
【請求項３】
前記箱体（３０）は、上方に開口を有する箱体である請求項１又は２のいずれかに記載の蓋付き箱。
【請求項４】
前記箱体（１０）に形成した孔（１０Ｈ）の開口の大きさよりも前記蓋体（３０）に形成した孔（３０Ｈ）の開口を大きく形成したことを特徴とする請求項１〜３のいずれかに記載の蓋付き箱。
【請求項５】
前記軸体（２０）の基端部（２２）は、軸方向に凹凸形状が連続して刻設された基端部（２２）であることを特徴とする請求項１〜４のいずれかに記載の蓋付き箱。
【請求項６】
上方に開口を有する箱体（１０）と、前記箱体（１０）の開口を塞ぐと共に軸体（２０）を介して回動可能に軸支された蓋体（３０）とからなり、前記箱体（１０）は、所定間隔を介して左右方向に対向する一対の壁部（１２ｃ、１２ｃ）に各々形成されて貫通した孔（１０Ｈ）を有する箱体であり、前記蓋体（３０）は、前記孔（１０Ｈ）に左右方向に隣接対向して連通する孔（３０Ｈ）を有する蓋体であり、前記軸体（２０）は、前記両孔（１０Ｈ、３０Ｈ）に挿入されると共に、前記貫通した孔（１０Ｈ）に基端部（２２）が挿入されると共に先端部（２３）が前記連通する孔（３０Ｈ）に挿入される一対の軸体（２０）である、ことを特徴とする蓋付き箱。
【考案の詳細な説明】
【技術分野】
【０００１】
本考案は、開閉可能な蓋を有する蓋付きの箱に関する。
【背景技術】
【０００２】
従来、開閉可能な蓋を有する蓋付きの箱の構造として次のようなものが存在する。すなわち、底板部の周辺から壁部を立設して上方に開口を形成した箱体に、箱体の開口を塞ぐ蓋体を開閉可能に取り付けた蓋付きの箱として、左右方向に所定間隔を介して対向する一対の側壁部の間に板状の蓋体を位置せしめ、前記箱体の側壁部の内側面と、蓋体の左右方向の外側面とを対向接触させて、箱体の側壁部の外側面から回動軸としての釘やネジを打ち込んで箱体と蓋体とを貫通して連結することにより、箱体に蓋体を開閉可能に取り付けた箱体が存在する。
【先行技術文献】
【特許文献】
【０００３】
【非特許文献１】株式会社クラフテリオ  ホームページ  インターネット＜URL：http:www.crafteriaux.co.jp>
【考案の概要】
【考案が解決しようとする課題】
【０００４】
しかしながら、上記のような構造を有する箱では、釘等を打ち込む者の熟練度等に起因して、釘等を打ち込む位置を適正なものとするのが難しく、箱体に対する蓋体の位置がずれる等して開閉がスムーズにならない等、製品の品質にばらつきが生じ易いという問題がある。
【課題を解決するための手段】
【０００５】
そこで、本考案は、開口を有する箱体（１０）と、前記箱体（１０）の開口を塞ぐと共に軸体（２０）を介して回動可能に軸支された蓋体（３０）とからなり、前記箱体（１０）は、所定間隔を介して対向する一対の壁部（１２ｃ）に各々孔（１０Ｈ）を有する箱体であり、前記蓋体（３０）は、前記孔（１０Ｈ）に対向して連通する孔（３０Ｈ）を有する蓋体であり、前記軸体（２０）は、前記両孔（１０Ｈ、３０Ｈ）に挿入される軸体である、ことを特徴とする蓋付き箱である。
【０００６】
本考案は、箱体及び蓋体に形成された両孔に対して、軸体を挿入する構造であるがゆえに、製造する者の熟練度等に左右されず、製品の品質にばらつきが生じ難いという効果がある。
【０００７】
箱体は、上方に開口を有する箱体である蓋付き箱である。この場合、底板部の周縁の前後両辺に各々一対の壁部を立設し、左右両辺に各々一対の壁部を立設してなる箱体である。これに限らず、側方に開口を有する箱体である蓋付き箱でも良い。この場合、底板部の周縁の左右両辺に各々一対の壁部を立設し、底板部の上方に対向する壁部を形成してなる箱体である。
【０００８】
箱体は、上方に開口を有するものでも、側方に開口を有するものでも良いが、下記に示す実施形態のとおり、上方に開口するものが一般的である。矩形状の底板部の四方辺から各々壁部を立設して上方に開口を形成した箱体の場合は、前記箱体の壁部のうち左右方向に対向する一対の側壁部に孔が形成されており、この孔に対向して連通する孔が蓋体に形成され、前記両孔に軸体を挿入して成る構造である。
【０００９】
蓋体の大きさ・形状によって、蓋体に形成した孔は、箱体に形成した孔に対して、内側方向に隣接して連通する場合もあれば、また、箱体に形成した孔に対して、外側方向に隣接して連通する場合もある。下記の実施形態においては、蓋体（３０）の孔（３０Ｈ）は、箱体（１０）に形成した孔（１０Ｈ）に対して内側方向に隣接して連通している。この実施態様では、蓋体（３０）において孔（３０Ｈ）が形成される基端部（３１）は単一の部材で構成され、単一の孔が形成されたものであるが、例えば、他の実施形態として、基端部（３１）を左右両端に一対の各々独立した部材で構成し、各々に孔を形成するものであっても良い。また、例えば、箱体に形成した孔に対して、外側方向に隣接して連通する場合として、蓋体の左右方向幅を大きくし、左右両端に一対の各々独立した部材で基端部を構成し、この左右の基端部に各々孔を形成し、箱体に形成した孔に対して外側方向に隣接して連通する形態とすることができる。
【００１０】
隣接して連通する両孔に対して挿入される軸体は、蓋体と箱体の大きさ・形状に応じて、下記の実施形態に示すように、箱体の外側方向から内側方向に挿入されて箱体に形成された孔に固着される場合もあれば、また、他の実施形態として、箱体の内側方向から外側方向に挿入されて箱体に形成された孔に固着される場合もある。
【００１１】
実施形態によっては、隣接して同方向に連通する両孔に対して挿入される軸体は、蓋体と箱体の大きさ・形状に応じて、蓋体の外側方向から内側方向に挿入されて蓋体に形成された孔に固着される場合もあれば、また、蓋体の内側方向から外側方向に挿入されて蓋体に形成された孔に固着される場合もありえる。
【００１２】
そして、前記両孔は、一方を他方よりも大きく形成するのが好適である。下記実施形態に示すとおり、箱体（１０）に形成した孔（１０Ｈ）に対して蓋体（３０）に形成した孔（３０Ｈ）が内側方向に隣接して連通する場合であって、外側方向から内側方向に軸体（２０）を挿入する場合は、箱体に形成した孔（１０Ｈ）よりも蓋体（３０）に形成した孔（３０Ｈ）を大きくするのが好ましい。
【００１３】
具体的には、実施形態に示すように、箱体（１０）に形成した孔（１０Ｈ）の開口（図７に示す円形の開口）の大きさよりも前記蓋体（３０）に形成した孔（３０Ｈ）の開口（図７に示す略矩形状の開口）を大きく形成される。
【００１４】
このようなものであれば、製造する者の熟練度等に左右されず、軸体をスムーズに適正な位置に配置することができ、やり直し作業などは不要であり、製品の品質にばらつきが生じ難いという効果を生ずる。
【００１５】
そして、軸体は、箱体等に固着する手段として、軸方向に凹凸形状が連続して刻設された基端部を有するものとするのが好ましい。下記実施形態に示すとおり、軸体の基端部（２２）の径よりも僅かに小径に形成された箱体（１０）の孔（１０Ｈ）に軸体（２０）を挿入して軸体（２０）を固着する場合、箱体（１０）の孔（１０Ｈ）に押し込んで圧挿することにより、箱体（１０）に軸体（２０）を固定することができる。前記軸体の基端部の外側表面に凹凸を形成すると共に、軸体の先端部の外側表面には凹凸を形成していない。軸体の基端部は、先端部の軸径よりも大きな軸径を有する部分を有し、且つ、当該部分は箱体の孔の径よりも大きい。箱体と蓋体は共に木製とし、また、軸体は金属製とするのが好適である。
【００１６】
既述のとおり、連通して隣接する前記両孔を有する蓋付き箱は、内側方向に位置する孔を外側方向に位置する孔よりも大きく形成した蓋付き箱であり、或いは、外側方向に位置する孔を内側方向に位置する孔よりも大きく形成した蓋付き箱である。特に、軸体（２０）を挿入する方向において挿入手前側に位置する孔よりも挿入奥側の孔を大きくしたものである。下記の実施態様に示すように、軸体（２０）を挿入する方向において手前側に位置する孔（１０Ｈ）よりも奥側の孔（３０Ｈ）を大きくしたものである。つまり、内外方向に隣接する両孔（１０Ｈ、３０Ｈ）について、内側方向に位置する孔である蓋体の孔（３０Ｈ）を外側方向に位置する孔である箱体の孔（１０Ｈ）よりも大きくしている。
【００１７】
本考案は、下記の実施形態に示すとおり、箱体の壁部の内側面と蓋体の内側面とが対向し、貫通孔（１０Ｈ）に対して連通孔（３０Ｈ）が内側方向に隣接して連通する態様において、所定間隔を介して対向する一対の壁部（１２ｃ）に各々形成された貫通孔（１０Ｈ）を有する箱体（１０）と、前記貫通孔（１０Ｈ）に対向して連通する連通孔（３０Ｈ）を有する蓋体（３０）と、前記貫通孔（１０Ｈ）に基端部（２２）が挿入されると共に先端部（２３）が前記連通孔（３０Ｈ）に挿入される一対の軸体（２０）とからなる蓋付き箱である。
【００１８】
或いは、内側方向から外側方向に挿入される軸体を用いる本考案の一態様として（下記実施態様とは異なり、蓋体の基端部（３１）は分割されて独立した両端部分から形成される等の場合）、所定間隔を介して対向する一対の壁部（１２ｃ）に各々形成された貫通孔（１０Ｈ）を有する箱体（１０）と、前記貫通孔（１０Ｈ）に対向して連通する連通孔（３０Ｈ）を有する蓋体（３０）と、箱体（１０）の前記貫通孔（１０Ｈ）に先端部（２３）が挿入されると共に基端部（２２）が蓋体（３０）の前記連通孔（３０Ｈ）に挿入される一対の軸体（２０）とからなる蓋付き箱とする場合もある。
【００１９】
また、既述のとおり、本考案は、蓋体（３０）の前記連通孔（３０Ｈ）は、箱体（１０）の前記貫通孔（１０Ｈ）よりも大きいことを特徴とする蓋付き収納箱であるところ、具体的には、蓋体（３０）に形成された前記連通孔（３０Ｈ）の口径を、箱体（１０）に形成された前記貫通孔（１０Ｈ）の口径よりも大きく形成している。或いは、本考案は、蓋体（３０）に形成された前記連通孔（３０Ｈ）の開口領域面積（側面視における孔形状を形成する辺で囲われた領域の面積）を、箱体（１０）に形成された前記貫通孔（１０Ｈ）の開口領域面積よりも大きく形成しているともいえる。
【００２０】
また、本考案は、具体的には、左右方向に所定間隔を介して対向する一対の壁部（１２ｃ）に各々形成されると共に左右方向に向けて穿孔された貫通孔（１０Ｈ）を有する箱体（１０）と、前記壁部（１２ｃ）に対向する基端部（３１）を有すると共に前記貫通孔（１０Ｈ）に対向して左右方向に連通する連通孔（３０Ｈ）を前記基端部（３１）に形成した蓋体（３０）と、前記貫通孔（１０Ｈ）及び挿通孔（３０Ｈ）に挿入された軸体（２０）とからなる蓋付き箱において、或いは、左右方向に所定間隔を介して対向する一対の壁部（１２ｃ）に各々形成されると共に左右方向に向けて穿孔された貫通孔（１０Ｈ）を有する箱体（１０）と、前記壁部（１２ｃ）の内側面に対して左右方向に対向する基端部（３１）を有すると共に前記貫通孔（１０Ｈ）に対向して左右方向に連通する連通孔（３０Ｈ）を前記基端部（３１）に形成した蓋体（３０）と、前記貫通孔（１０Ｈ）に挿入される基端部（２２）と前記連通孔（３０Ｈ）に挿入される先端部（２３）とを有する左右一対の軸体（２０）とからなる蓋付き箱において、前記連通孔（３０Ｈ）の上下方向の長さ（Ｄ２―Ｕ２＝Ｌｄ）は、前記貫通孔（１０Ｈ）の上下方向の長さ（Ｄ１−Ｕ１＝Ｌｂ）よりも大きいことを特徴とする蓋付き箱であるか、或いは、前記連通孔（３０Ｈ）の前後方向の長さ（Ｆ２―Ｂ２＝Ｌｃ）は、前記貫通孔（１０Ｈ）の前後方向の長さ（Ｆ１−Ｂ１＝Ｌａ）よりも大きいことを特徴とする蓋付き箱であり、好ましくは、前記連通孔（３０Ｈ）の上下方向の長さ（Ｄ２―Ｕ２＝Ｌｄ）は、前記貫通孔（１０Ｈ）の上下方向の長さ（Ｄ１−Ｕ１＝Ｌｂ）よりも大きく、且つ、前記連通孔（３０Ｈ）の前後方向の長さ（Ｆ２―Ｂ２＝Ｌｃ）は、前記貫通孔（１０Ｈ）の前後方向の長さ（Ｆ１−Ｂ１＝Ｌａ）よりも大きいことを特徴とする蓋付き箱である。
【００２１】
また、本考案は、具体的には、左右方向に所定間隔を介して対向する一対の壁部（１２ｃ）に各々形成されると共に左右方向に向けて穿孔された貫通孔（１０Ｈ）を有する箱体（１０）と、前記壁部（１２ｃ）に内側方向に対向する基端部（３１）を有すると共に前記貫通孔（１０Ｈ）に対向して左右方向に連通する連通孔（３０Ｈ）を前記基端部（３１）に形成した蓋体（３０）と、前記貫通孔（１０Ｈ）及び挿通孔（３０Ｈ）に挿入された軸体（２０）とからなる蓋付き箱において、或いは、左右方向に所定間隔を介して対向する一対の壁部（１２ｃ）に各々形成されると共に左右方向に向けて穿孔された貫通孔（１０Ｈ）を有する箱体（１０）と、前記壁部（１２ｃ）の内側面に対して左右方向に対向する基端部（３１）を有すると共に前記貫通孔（１０Ｈ）に対向して左右方向に連通する連通孔（３０Ｈ）を前記基端部（３１）に形成した蓋体（３０）と、前記貫通孔（１０Ｈ）に挿入される基端部（２２）と前記連通孔（３０Ｈ）に挿入される先端部（２３）とを有する左右一対の軸体（２０）とからなる蓋付き箱において、蓋体（３０）を閉蓋状態として、貫通孔（１０Ｈ）の前後方向長さの中央点と、連通孔（３０Ｈ）の前後方向長さの中央点とを同一軸線上に合致させた状態において、前記連通孔（３０Ｈ）の下端の上下方向位置（Ｄ２）は、前記貫通孔（１０Ｈ）の下端の上下方向位置（Ｄ１）よりも下方に位置することを特徴とする蓋付き箱であるか、或いは、前記連通孔（３０Ｈ）の上端の上下方向位置（Ｕ２）は、前記貫通孔（１０Ｈ）の上端の上下方向位置（Ｕ１）よりも上方に位置することを特徴とする蓋付き箱であり、好ましくは、前記連通孔（３０Ｈ）の下端の上下方向位置（Ｄ２）は、前記貫通孔（１０Ｈ）の下端の上下方向位置（Ｄ１）よりも下方に位置すること、且つ、前記連通孔（３０Ｈ）の上端の上下方向位置（Ｕ２）は、前記貫通孔（１０Ｈ）の上端の上下方向位置（Ｕ１）よりも上方に位置することを特徴とする蓋付き箱である。
【００２２】
また、本考案は、前記連通孔（３０Ｈ）の前端の前後方向位置（Ｆ２）は、前記貫通孔（１０Ｈ）の前端の前後方向位置（Ｆ１）よりも前方に位置することを特徴とする蓋付き箱であるか、或いは、前記連通孔（３０Ｈ）の後端の前後方向位置（Ｂ２）は、前記貫通孔（１０Ｈ）の後端の前後方向位置（Ｂ１）よりも後方に位置することを特徴とする蓋付き箱であり、好ましくは、前記連通孔（３０Ｈ）の前端の前後方向位置は（Ｆ２）、前記貫通孔（１０Ｈ）の前端の前後方向位置（Ｆ１）よりも前方に位置し、且つ、前記連通孔（３０Ｈ）の後端の前後方向位置（Ｂ２）は、前記貫通孔（１０Ｈ）の後端の前後方向位置（Ｂ１）よりも後方に位置することを特徴とする蓋付き箱である。
【考案の効果】
【００２３】
本考案によれば、製造する者の熟練度等に左右されず、製品の品質にばらつきが生じ難いという効果がある。
【図面の簡単な説明】
【００２４】
【図１】本実施態様の分解斜視図
【図２】本実施態様の斜視図
【図３】図２のＡ−Ａ線断面図
【図４】図３のＢ−Ｂ線断面図
【図５】図３の一部拡大図
【図６】図４の一部拡大図
【図７】孔１０Ｈと孔３０Ｈの位置関係を示す図
【図８】孔１０Ｈと孔３０Ｈの位置関係を示す図
【考案を実施するための形態】
【００２５】
以下、本考案の実施形態を図１〜図８に基づいて説明する。
【００２６】
本考案は、図１に示すように、木製の箱体１０と、金属である真鍮製の軸体２０と、軸体２０を挿入する孔３３を形成した基端部３１と本体部３２とで構成される木製の蓋体３０とからなる。本考案の実施態様の具体例としては、箱体内部に音楽の再生装置を配置し、蓋体を開けると音楽を発するオルゴールに用いられる箱付き箱を挙げることができる。
【００２７】
箱体１０は、図１に示すように、矩形状の底板部１１と、底板部１１の周辺から各々立設した壁部１２で構成される。壁部１２は、前壁部１２ａと，前壁部１２ａに対して前後方向に対向する後壁部１２ｂ、互いに左右方向に対向する側壁部１２ｃ、１２ｃとからなる。
【００２８】
箱体１０の開口周縁のうち後方周縁部分には凹部１０Ｇが形成される。具体的には、箱体１０の後側上端には、他の壁部の上端面に比して相対的に上下方向位置が下方に位置する後壁部１２ｂの上端面部分１２ｂ１と、前記上端面部分１２ｃ１の両端に各々立設された側壁部１２ｃの側壁後方上端部分１２ｃ１、１２ｃ１とで構成される凹部１０Ｇが形成される。
【００２９】
側壁後方上端部分１２ｃ１、１２ｃ１には、各々、側壁壁１２ｃの厚さ方向（左右方向）に貫通する貫通孔１０Ｈが穿孔されている。開口形状が円形の貫通孔１０Ｈは直径（前後方向長さＬａ及び上下方向長さＬｂ）約１．８ｍｍであり、後述する軸体２０の基端部２２の軸径よりも僅かに小さい。
【００３０】
蓋体３０は、箱体１０の開口を塞ぐ板状の本体部３２と、本体部の後方端部に固着される連通孔３０Ｈ付き柱状の基端部３１とからなる。
【００３１】
蓋体３０の基端部３１は、断面略四角形状の柱材に長手方向全長に亘って有底溝を切り欠いて連通孔３０Ｈを構成した部材である。図７に示すように、連通孔３０Ｈの前後方向長さＬｃは約２．６ｍｍ、上下方向長さＬｄは約８．０ｍｍである。また、基端部３１の下側角部は、回動動作を考慮してＲ状に形成されている。
【００３２】
蓋体３０の本体部３２は、箱体の開口周縁を覆う大きさを有し、下側面の後方部分には溝３３を形成している。
【００３３】
軸体２０は、図４に示すとおり、挿入されて連通孔３０Ｈ内に位置する先端部２３と、抜け止め加工として凹凸状に形成されると共に貫通孔１０Ｈ内に位置する基端部２２と、頭部２１とからなる。軸体２０の基端部２２の軸径は、軸体２０の先端部２３よりも僅かに大きい。軸体２０の先端部２３の軸径は約１．７２ｍｍ、基端部２２の軸径は約１．８２ｍｍである。図４等に示すとおり、基端部２２は、その軸径が貫通孔１０Ｈの径よりも若干大きい為、貫通孔１０Ｈに圧挿されて抜け止め状態となり、また、先端部２３の軸径は、連通孔３０Ｈの上下及び前後方向長さよりも小さい為、連通孔３０Ｈ内において遊挿状態となる。
【００３４】
図７に示すとおり、蓋体３０の連通孔３０Ｈは、箱体の貫通孔１０Ｈよりも大きい。箱体１０に形成した孔１０Ｈの円形の開口の大きさよりも前記蓋体３０に形成した孔３０Ｈの矩形の開口を大きく形成している。具体的には、蓋体３０の連通孔３０Ｈの開口領域面積（蓋体３０の側面端面における連通孔３０Ｈの開口を形成する辺で囲われた領域の面積）は、貫通孔１０Ｈの開口領域面積よりも大きく形成している。
【００３５】
また、本実施形態では、図７に示すとおり、蓋体３０の連通孔３０Ｈの上下方向の長さＬｄは、箱体１０の貫通孔１０Ｈの上下方向の長さＬｂよりも大きい。連通孔３０Ｈの上下方向の長さＬｄは、箱体１０の貫通孔１０Ｈの上下方向の長さＬｂの１．３倍〜５倍程度の長さにするのが好適である。
【００３６】
また、蓋体３０の連通孔３０Ｈの前後方向の長さＬｃは、箱体１０の貫通孔１０Ｈの前後方向の長さＬａよりも大きい。連通孔３０Ｈの前後方向の長さＬｃは、貫通孔１０Ｈの前後方向の長さＬａの１．３倍〜１．６倍程度の長さにするのが好適である。
【００３７】
また、本実施形態は、蓋体３０の連通孔３０Ｈの下端Ｄ２の上下方向位置は、箱体１０の貫通孔１０Ｈの下端Ｄ１の上下方向位置よりも下方に位置し、且つ、蓋体３０の連通孔３０Ｈの上端Ｕ２の上下方向位置は、箱体１０の貫通孔１０Ｈの上端Ｕ１の上下方向位置よりも上方に位置している。
【００３８】
また、本実施形態は、蓋体３０の連通孔３０Ｈの前端Ｆ２の前後方向位置は、箱体１０の貫通孔１０Ｈの前端Ｆ１の前後方向位置よりも前方に位置し、且つ、蓋体３０の連通孔３０Ｈの後端Ｂ２の前後方向位置は、箱体１０の貫通孔１０Ｈの後端Ｂ１の前後方向位置よりも後方に位置する。
【００３９】
なお、本実施例は、開口を有すると共に対向する壁部に各々貫通孔を有する箱体と、前記開口を塞ぐ蓋体本体部と、前記貫通孔と連通する連通孔を有する柱状の蓋体基端部と、前記貫通孔に基端部が挿入されると共に先端部が前記連通孔に挿入される一対の軸体とからなり、前記軸体の基端部の外側表面に凹凸部を形成したことを特徴とする収納箱の組立部材のセットとして提供することができる。
【００４０】
組み立て方法としては、図１に示す各部材につき、まず、蓋体の本体部３２に形成された溝３３に沿って蓋体の基端部３１を接着剤で固着する。次に、箱体１０の凹部１０Ｇ内に蓋体３０の基端部３１が載置する状体で箱体１０の開口を蓋体３０で塞ぐと共に、箱体１０の貫通孔１０Ｈと蓋体３０の連通孔３０Ｈとの大凡の位置を合致させて連通させる。次に、箱体１０の貫通孔１０Ｈの左右方向外側開口から軸体２０の先端部２２を挿入してゆき、軸体２０の基端部２２が箱体１０の貫通孔１０Ｈ内に位置し、軸体２０の先端部２３が蓋体３０の連通孔３０Ｈ内に位置するまで押し込む。この組み立て方法により、蓋体３０は箱体１０に対して軸支される。
【００４１】
組み立て方法の要点としては、所定間隔を介して対向する一対の壁部に各々形成された貫通孔を有する箱体と、前記貫通孔に対向して連通する連通孔を有する蓋体と、前記貫通孔に抜け止め加工を施した基端部が挿入されると共に先端部が前記連通孔に挿入される一対の軸体とからなる蓋付き収納箱の組み立て方法であって、前記箱体の貫通孔と蓋体の連通孔の両者を対向させて連通させた後、貫通孔に抜け止め加工を施した基端部が挿入されると共に先端部が前記連通孔に挿入される位置まで軸体を押し込むことを特長とする組み立て方法である。
【００４２】
このような実施態様であれば、製造する者の熟練度等に左右されず、軸体を適正な位置に配置することができ、製品の品質にばらつきが生じ難いという効果がある。つまり、箱体の貫通孔に軸体を挿入する際に、貫通孔に比較して蓋体の挿通孔が大きいことから、軸体を挿入して箱体に蓋体を軸支する際、箱体に対する蓋体の位置が多少のずれがあっても、軸体を容易に挿入することができる。特に、未熟な年少者が製造する工作物ないし工作組立セットにおいて好適に実施される。
【符号の説明】
【００４３】
１０    箱体
１０Ｈ  孔
２０    軸体
３０    蓋体
３０Ｈ  孔
【図１】
0003153443.tif 000003
【図２】
0003153443.tif 000004
【図３】
0003153443.tif 000005
【図４】
0003153443.tif 000006
【図５】
0003153443.tif 000007
【図６】
0003153443.tif 000008
【図７】
0003153443.tif 000009
【図８】
0003153443.tif 000010